【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
生体液中の分析対象物濃度を決定するための検査センサであって：
流体受入エリアおよびポート挿入領域を包含するストリップと；
ポート挿入領域の第１のエリア内に配列された較正コードパターンを形成する光学的に透明な位置および非透明な位置の第１の列と；
ポート挿入領域の第２のエリア内に配列された同期コードパターンを形成する光学的に透明な位置および非透明な位置の第２の列であって、第２のエリアが第１のエリアとは異なる第２の列と、を含み、
同期コードパターンが較正コードパターンに対応し、分析対象物測定機器の受入ポート内へのポート挿入領域の挿入期間に、同期コードパターンが較正コードパターンの同期を提供する、
検査センサ。
【請求項２】
較正コードパターンおよび同期コードパターンがストリップにおける少なくとも一つの開口を包含し、少なくとも一つの開口が光学的に透明な位置の一つ以上を画定する、請求項１記載の検査センサ。
【請求項３】
較正コードパターンが同期コードパターンと較正コードパターンが同じ全長を有するような全長を有する、請求項１記載の検査センサ。
【請求項４】
較正コードパターンを形成する位置が同期コードパターンとパラレルにストリップ上に直線的に配列された、請求項１記載の検査センサ。
【請求項５】
ポート挿入領域が第１の縁および反対側の第２の縁を包含し、較正コードパターンが第１の縁とパラレルにかつそれに沿って方向づけられ、同期コードパターンが第２の縁とパラレルにかつそれに沿って方向づけられた、請求項１記載の検査センサ。
【請求項６】
検査センサが光学的検査センサである、請求項１記載の検査センサ。
【請求項７】
検査センサがグルコース酸化酵素またはグルコース脱水素酵素を包含する試薬を包含する、請求項１記載の検査センサ。
【請求項８】
生体液中の分析対象物濃度を決定するためのバイオセンサシステムであって：
一つ以上の光源、第１の光センサおよび第２の光センサを包含する光学的パターン読み取り装置に接続されたプロセッシングユニットを包含する測定装置と；
第１の光学的に透明な孔を包含するシーケンシャルデータコーディングパターンおよび第２の光学的に透明な孔を包含する分離した対応する同期コーディングパターンを包含するセンサストリップと、を含み、
一つ以上の光源が光波を第１のおよび第２の光学的に透明な孔を通して伝送するように構成され、一つ以上の光源が第１のおよび第２の光学的に透明な孔の第１の側面に少なくとも部分的に位置付けられ、
第１の光センサが第１の光学的に透明な孔の反対の側面に位置付けられ、第２の光センサが第２の光学的に透明な孔の反対の側面に位置付けられ、第１の光センサおよび第２の光センサが一つ以上の光源からの伝送された光波を受け入れるように構成され、
光波が一つ以上の光源によって伝送され、センサストリップが測定装置内に挿入されている間に、第１の光センサおよび第２の光センサによって受け入れられ、同期コーディングパターンに関連する第２の光センサによって受け入れられた光波がシーケンシャルデータコーディングパターンに関連する第１の光センサによって受け入れられた光波のための同期を提供する、
バイオセンサシステム。
【請求項９】
シーケンシャルデータコーディングパターンおよび同期コーディングパターンによって、一連の対応するポジティブおよびネガティブコードシグナルが光学的読み取りヘッド装置によって生成され、
センサストリップが測定装置内に挿入されている間にプロセッシングユニットによって受信され、
測定装置およびセンサストリップがシーケンシャルデータコーディングパターンに関連する少なくとも一つの相関式を有する分析対象物分析を具現化するように構成され、
プロセッシングユニットが、光学的パターン読み取り装置から受信した、生成されたコードシグナルに応じて、少なくとも一つの相関式を較正するように構成され、
プロセッシングユニットがさらに、少なくとも一つの較正された相関式に応答して、分析対象物濃度を決定するように構成された、請求項８記載のバイオセンサシステム。
【請求項１０】
同期コーディングパターンがセンサストリップの表面に等間隔に分配された光学的に透明なシーケンシャル孔であり、各々の隣接した光学的に透明な同期孔が光学的に非透明な材料によって分離された、請求項８記載のバイオセンサシステム。
【請求項１１】
センサストリップが第１の縁および反対側の第２の縁を有し、シーケンシャルデータコーディングパターンが第１の縁に沿ってシーケンシャルに位置付けられ、同期コーディングパターンが反対側の第２の縁に沿ってシーケンシャルに位置付けられ、
シーケンシャルデータコーディングパターンおよび同期コーディングパターンがセンサストリップにおける一つ以上の開口を包含し、各々のコーディングパターン開口が矩形であり、センサストリップの光学的に非透明な材料によって３つの側面のみに沿って画定された、請求項８記載のバイオセンサシステム。
【請求項１２】
較正された相関式を使用して生体液中の分析対象物濃度を決定するための方法であって、以下の行為、すなわち：
（ａ）較正コーディングパターンを形成するシーケンシャルの光学的に透明な位置および非透明な位置の第１の列を包含する、検査センサにおける第１の光学的に透明な孔を通して光波を伝送することと；
（ｂ）行為（ａ）とほぼ同時に、較正コーディングパターンに対応する同期コーディングパターンを形成する、シーケンシャルの光学的に透明な位置および非透明な位置の第２の列を包含する、検査センサにおける第２の光学的に透明な孔を通して光波を伝送することと；
（ｃ）第１の光学的に透明な孔を通して伝送された光波を第１の光センサにおいて受け入れることと；
（ｄ）第２の光学的に透明な孔を通して伝送された光波を第２の光センサにおいて受け入れることと；
（ｅ）分析対象物測定装置内への検査センサの挿入期間に、第１の光センサを通る光学的に透明な位置および非透明な位置の故に第１の光センサによって受け入れられた光波および第１の光センサによって受け入れられない光波に応じて、一連の較正コードシグナルを生成することと；
（ｆ）行為（ｅ）とほぼ同時に、分析対象物測定装置内への検査センサの挿入期間に、第２の光センサによって受け入れられた光波ならびに第２の光センサを通る光学的に透明な位置および非透明な位置の故に第２の光センサによって受け入れられた光波および第２の光センサによって受け入れられない光波に応じて、一連の較正コードシグナルに対応する一連の同期コードシグナルを生成することと；
（ｇ）一連の較正コードシグナルの生成に応じて、少なくとも一つの相関式を較正することと；
（ｈ）少なくとも一つの較正された相関式に基づいて、分析対象物濃度を決定することと、を含み、
分析対象物濃度が出力シグナルを発生する反応において分析対象物を反応させることによって決定され、分析対象物濃度が少なくとも一つの較正された相関式および発生された出力シグナルを使用して決定される、
方法。
【請求項１３】
検査センサが血糖濃度を決定する、請求項１２記載の方法。
【請求項１４】
シーケンシャルの光学的に透明な位置および非透明な位置の少なくとも一部が互い違いに位置する、請求項１２記載の方法。
【請求項１５】
反応が電気化学的反応であり、出力シグナルが電気シグナルである、請求項１２記載の方法。